(57)【要約】【課題】台襟のボタンを留めない場合に上前及び下前の台襟間の隙間が見えたり、台襟が浮き上がらないようにするとともに、襟元にデザイン性を持たせることができるシャツに装着して使用する装飾具を提供すること。【解決手段】両端部にボタン穴１１を形成した帯状の布片１０からなり、シャツ２の襟２１によって隠れる上前及び下前の台襟２２ａ、２２ｂの位置にそれぞれ取り付けられたボタン３１ａ、３１ｂに止着することにより、上前及び下前の台襟２２ａ、２２ｂに跨って装着されるシャツに装着して使用する装飾具１。【選択図】図１
2014205930.tif 000002
【特許請求の範囲】
【請求項１】
両端部にボタン穴を形成した帯状の布片からなり、襟によって隠れる上前及び下前の台襟の位置にそれぞれ取り付けられたボタンに止着することにより、シャツの上前及び下前の台襟に跨って装着されるにようにしたことを特徴とするシャツに装着して使用する装飾具。
【請求項２】
前記ボタン穴の間隔が、下前の台襟に取り付けたボタンとシャツの前立てを止めるボタンの間隔又は前立てを止めるボタンの間隔に合わせて設定されてなることを特徴とする請求項１記載のシャツに装着して使用する装飾具。
【請求項３】
帯状の布片の生地の色及び／又は柄が、シャツの生地の色及び／又は柄と異ならせてなることを特徴とする請求項１又は２記載のシャツに装着して使用する装飾具。
【発明の詳細な説明】
【技術分野】
【０００１】
本発明は、シャツに装着して使用する装飾具に関し、特に、台襟のボタンを留めない場合に上前及び下前の台襟間の隙間が見えたり、台襟が浮き上がらないようにしたシャツに装着して使用する装飾具に関するものである。
【背景技術】
【０００２】
従来、ワイシャツ、スポーツシャツ、ブラウス等のシャツ（本明細書において、単に、「シャツ」という。）においては、着用時に上前及び下前の台襟間の隙間が見えたり、台襟が浮き上がることがなく、襟元がしっくりするように、下前の台襟に取り付けたボタンを、上前の台襟に形成したボタン穴に止着することができるようにされている。
【０００３】
ところで、従来のシャツにおいて、下前の台襟に取り付けられるボタンは、糸によってしっかりと取り付けられているため、首回りの寸法の調節ができず、このため、首回りがきつい場合には、台襟のボタンを留めないで着用されていた。
【０００４】
しかしながら、デザイン的に開襟して着用するシャツを除き、台襟のボタンを留めないでシャツを着用した場合、上前及び下前の台襟間の隙間が見えたり、台襟が浮き上がることによって、襟元がだらしない印象になるという問題があった。
【０００５】
この問題に対処するため、下前の台襟に取り付けられるボタンの取付位置を調節できるようにすることにより、首回りの寸法の調節を可能にしたシャツが提案されている（特許文献１〜２参照。）。
【先行技術文献】
【特許文献】
【０００６】
【特許文献１】特開平７−２７８９０１号公報
【特許文献２】特開２００６−３７３２６号公報
【発明の概要】
【発明が解決しようとする課題】
【０００７】
しかしながら、上記首回りの寸法の調節を可能にしたシャツは、襟元のデザインがすっきりしないという問題があった。
【０００８】
本発明は、上記従来のシャツの有する問題点に鑑み、台襟のボタンを留めない場合に上前及び下前の台襟間の隙間が見えたり、台襟が浮き上がらないようにするとともに、襟元にデザイン性を持たせることができるシャツに装着して使用する装飾具を提供することを目的とする。
【課題を解決するための手段】
【０００９】
上記目的を達成するため、本発明のシャツに装着して使用する装飾具は、両端部にボタン穴を形成した帯状の布片からなり、シャツの襟によって隠れる上前及び下前の台襟の位置にそれぞれ取り付けられたボタンに止着することにより、上前及び下前の台襟に跨って装着されるようにしたことを特徴とする。
【００１０】
この場合において、前記ボタン穴の間隔を、下前の台襟に取り付けたボタンとシャツの前立てを止めるボタンの間隔又は前立てを止めるボタンの間隔に合わせて設定することができる。
【００１１】
また、帯状の布片の生地の色及び／又は柄を、シャツの生地の色及び／又は柄と異ならせることができる。
【発明の効果】
【００１２】
本発明のシャツに装着して使用する装飾具によれば、帯状の布片からなる装飾具を、シャツの襟によって隠れる上前及び下前の台襟の位置にそれぞれ取り付けられたボタンに止着することによって、上前及び下前の台襟に跨って装着することにより、台襟のボタンを留めない場合に上前及び下前の台襟間の隙間が見えたり、台襟が浮き上がらないようにすることができるとともに、襟元のデザインがすっきりとし、襟元にデザイン性を持たせることができる。
【００１３】
また、前記ボタン穴の間隔を、下前の台襟に取り付けたボタンとシャツの前立てを止めるボタンの間隔又は前立てを止めるボタンの間隔に合わせて設定することにより、装飾具を前立てに装着することができ、前立てにデザイン性を持たせることができる。
【００１４】
また、帯状の布片の生地の色及び／又は柄を、シャツの生地の色及び／又は柄と異ならせることにより、デザイン性を一層向上させることができる。
【図面の簡単な説明】
【００１５】
【図１】本発明のシャツに装着して使用する装飾具の一実施例を示し、（ａ）は装着前の状態を示すシャツの正面図、（ｂ）は装着前の状態を示すシャツの正面図である。
【図２】同装飾具の他の使用形態を示すシャツの正面図である。
【図３】同装飾具の他の使用形態を示すシャツの正面図である。
【図４】同装飾具の他の使用形態を示すシャツの正面図である。
【図５】同装飾具の他の使用形態を示すシャツの正面図である。
【発明を実施するための形態】
【００１６】
以下、本発明のシャツに装着して使用する装飾具の実施の形態を、図面に基づいて説明する。
【００１７】
図１に、本発明のシャツに装着して使用する装飾具の一実施例を示す。
このシャツに装着して使用する装飾具１は、両端部にボタン穴１１を形成した帯状の布片１０からなり、シャツ２の襟２１によって隠れる上前及び下前の台襟２２ａ、２２ｂの位置にそれぞれ取り付けられたボタン３１ａ、３１ｂに止着することにより、上前及び下前の台襟２２ａ、２２ｂに跨って装着されるものである。
【００１８】
この帯状の布片１０からなる装飾具１は、シャツ２の襟２１によって隠れる上前及び下前の台襟２２ａ、２２ｂの位置にそれぞれ取り付けられたボタン３１ａ、３１ｂに止着することによって、上前及び下前の台襟２２ａ、２２ｂに跨って装着することにより、下前の台襟２２ｂに取り付けたボタン３２を上前の台襟２２ａに形成したボタン穴３３に留めない場合に上前及び下前の台襟２２ａ、２２ｂ間の隙間が見えたり、台襟２２ａ、２２ｂが浮き上がらないようにすることができるとともに、襟元のデザインがすっきりとし、襟元にデザイン性を持たせることができる。
すなわち、首回りがきつい場合等で、下前の台襟２２ｂに取り付けたボタン３２を外してもネクタイの収まりが良く、ネクタイをしながらボタン３２を外しても、上前及び下前の台襟２２ａ、２２ｂの位置や左右の襟２１の位置がぶれず、前立て２３も綺麗に揃うようにすることができる。
【００１９】
ところで、装飾具１のボタン穴１１の間隔Ｌ１は、下前の台襟２２ｂに取り付けたボタン３２とシャツ２の前立て２３を止めるボタン３４の間隔Ｌ２や、前立て２３を止めるボタン３４、３５・・・の間隔に合わせて設定することができる。
これにより、後述のように、装飾具１を前立て２３に装着することができ、前立て２３にデザイン性を持たせることができる。
【００２０】
また、装飾具１の帯状の布片１０の生地の色及び／又は柄は、シャツ２の生地の色及び／又は柄と同一にするほか、異ならせることができる。
また、装飾具１の帯状の布片１０の一方の面を、シャツ２の生地の色及び／又は柄と同一にし、他方の面を異ならせたり、両方の面を異なる色及び／又は柄とすることにより、リバーシブル仕様とすることもできる。
これにより、デザイン性を一層向上させることができる。
【００２１】
装飾具１の帯状の布片１０の長さは、シャツ２の前立て２３を止めるボタン３２、３４、３５、・・・の間隔よりも長く設定することが好ましく、幅は、台襟２２ａ、２２ｂの幅や上前及び下前の前立て２３の幅と同時程度に設定することが好ましい。
【００２２】
装飾具１の帯状の布片１０の端部は、図１（ａ）に示すように、剣先状に形成するほか、図２に示すように、丸みを持たせることもできる。
【００２３】
ところで、帯状の布片１０からなる装飾具１は、上前及び下前の台襟２２ａ、２２ｂに跨って装着するほか、図２に示すように、シャツ２の前立て２３を止めるボタン３５に、上前の前立て２３を挟み込むように装着するようにしたり、図３に示すように、シャツ２の前立て２３を止めるボタン３４、３５に、上前の前立て２３に沿って装着するようにしたり、シャツ２の袖口２４を止めるボタン３６に、袖口２４を挟み込むように装着するようにしたり、図４に示すように、シャツ２の前立て２３を止めるボタン３４、３５に、上前の前立て２３を挟み込むように装着するようにしたり、図５に示すように、下前の台襟２２ｂに取り付けたボタン３２とシャツ２の前立て２３を止めるボタン３４に、下前の前立て２３に沿って装着するようにしたり、シャツ２の前立て２３を止めるボタン３５に、上前の前立て２３をループ状に挟み込むように装着するようにしたり（この場合、装飾具１は、ネクタイの小剣を挿入することによって、ネクタイ留めとして使用することができる。）することにより、シャツ２の各部位の装飾具として用いることができる。
なお、シャツ２の各部の装飾具として用いる帯状の布片１０からなる装飾具１は、上前及び下前の台襟２２ａ、２２ｂに跨って装着する装飾具１と共用し、いずれかの箇所に選択的に装着してもよいし、複数の装飾具１を用意しておき、複数の箇所に装着してもよい。
【００２４】
以上、本発明のシャツに装着して使用する装飾具について、その実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明のシャツに装着して使用する装飾具は、台襟のボタンを留めない場合に上前及び下前の台襟間の隙間が見えたり、台襟が浮き上がらないようにするとともに、襟元にデザイン性を持たせることができるという特性を有していることから、上前及び下前の台襟に跨って装着する装飾具の用途に好適に用いることができるほか、シャツの各部位の装飾具の用途にも用いることができる。
【符号の説明】
【００２６】
１  装飾具
１０  布片
１１  ボタン穴
２  シャツ
２１  襟
２２ａ  台襟（上前）
２２ｂ  台襟（下前）
２３  前立て
２４  袖口
３１ａ  ボタン
３１ｂ  ボタン
３２  ボタン
３３  ボタン穴
３４  ボタン
３５  ボタン
Ｌ１  ボタン穴の間隔
Ｌ２  ボタンの間隔
【図１】
2014205930.tif 000003
【図２】
2014205930.tif 000004
【図３】
2014205930.tif 000005
【図４】
2014205930.tif 000006
【図５】
2014205930.tif 000007